【手続補正書】
【提出日】平成23年9月16日(2011.9.16)
【手続補正１】
【補正対象書類名】特許請求の範囲
【補正対象項目名】全文
【補正方法】変更
【補正の内容】
【特許請求の範囲】
【請求項１】
処理された廃水中の生物学的に難溶性の物質および／またはバイオ抑制化合物の濃度を低減するための膜生物反応槽産業廃水処理システムであって、
産業廃水ストリームを曝気するための曝気槽であって、前記槽は廃棄物排出ポートを含む、曝気槽と、
前記曝気槽中の一つ以上のアクティブ廃棄物を消化する細菌性微生物の集団と、
前記曝気槽内に粒状活性炭を導入するための、前記曝気槽と連結した一つ以上の粒状活性炭入力場所と、
前記曝気槽中の、曝気された粒状活性炭の懸濁液であって、前記曝気された粒状活性炭の懸濁液は、前記廃水ストリームからの生物学的に難溶性の物質および／またはバイオ抑制化合物をその表面上に吸着させ、かつ、廃棄物を消化する活性の細菌性微生物をその細孔内に保持する、曝気された粒状活性炭の懸濁液と、
前記曝気槽の下流に配置された一つ以上の膜を含む膜動作システムタンクであって、前記膜動作システムタンクは、前記曝気槽からの混合液を受け入れ、処理された廃水を排出する、膜動作システムタンクと、
前記曝気槽内に配置された細篩または分離サブシステムであって、前記細篩または分離サブシステムは、前記曝気槽内の前記粒状活性炭を前記混合液と共に維持し、かつ、前記粒状活性炭の少なくとも大部分が前記膜動作システムタンクへと通過するのを回避する、細篩または分離サブシステムと、
を含み、
生物学的に難溶性の物質および／またはバイオ抑制化合物を除去するための前記粒状活性炭の有効性が、前記処理システムの要求と関連付けられた順守レベルに近いレベルまで低下した場合には、前記廃棄物排出ポートは、前記曝気槽から粒状活性炭を除去するように動作可能であるシステム。
【請求項２】
処理された廃水中の生物学的に難溶性の、及び/又は、バイオ抑制化合物の濃度を低減するための廃水処理システムであって、
混合液を備えた前記曝気槽中で粒状活性炭を維持するために構成され配置された分離サブシステムと 前記処理された廃水の少なくとも1つの特性の測定されたレベルに応じて前記曝気槽から前記粒状活性炭を取り除くために構成され配置された廃棄物排出ポートと、 粒状活性炭入力場所と、を含む曝気槽と、
前記曝気槽の下流に配置され、前記曝気槽から混合液を受け取り、かつ前記処理された廃水を放出するために構成され配置された膜動作システムタンクと、を含むシステム。
【請求項３】
前記一つ以上の粒状活性炭入力場所のうち少なくとも一つは、前記曝気槽の上流にあるか、前記曝気槽と直接連通するか、または、前記膜動作システムタンクから排出される返送活性スラッジストリームと連通する請求項１または２に記載のシステム。
【請求項４】
前記粒状活性炭の有効顆粒サイズは、少なくとも約0.3ミリメートルである請求項１または２に記載のシステム。
【請求項５】
前記粒状活性炭の有効顆粒サイズは、約0.5ミリメートル〜約1.4ミリメートルである請求項１または２に記載のシステム。
【請求項６】
前記粒状活性炭は、生物学的に難溶性の有機物質、バイオ抑制化合物、無機化合物及びそれらの組み合わせ、からなるグループから選ばれた前記廃水ストリームからの化合物を吸着する請求項１または２に記載のシステム。
【請求項７】
前記曝気槽は脱窒部を含む請求項１または２に記載のシステム。
【請求項８】
前記粒状活性炭は、前記脱窒部から分離された前記曝気槽内で維持される請求項７に記載のシステム。
【請求項９】
前記粒状活性炭は細孔空間を有し、前記細孔空間内において、微生物が付着し、前記廃水ストリーム内の生物学的に難溶性の化合物を消化するさらなる微生物を生成する請求項１または２に記載のシステム。
【請求項１０】
前記廃水は油を含む請求項１または２に記載のシステム。
【請求項１１】
前記粒状活性炭は、水中で20℃において、約1.05〜約1.10の特定の比重を有する請求項１〜１０のいずれかに記載のシステム。
【請求項１２】
前記粒状活性炭は顆粒間衝突に起因する微粒子および他の粒子状物の発生を最小化する硬度レベルを有する請求項１〜１０のいずれかに記載のシステム。
【請求項１３】
前記粒状活性炭は、木材、ココナツ、バガス、おがくず、泥炭、パルプ工場廃棄物、および他のセルロース由来の物質からなる群から選択された物質から由来する、請求項１〜１０のいずれかに記載のシステム。
【請求項１４】
生物学的に難溶性の物質および／またはバイオ抑制化合物を含む産業廃水ストリームを浄化するプロセスであって、
前記廃水ストリームを種バクテリア培養物と共に曝気槽内に導入して、混合液を生成するステップと、
前記曝気槽内に粒状活性炭を導入するステップと、
前記曝気槽内の懸濁液中で前記粒状活性炭を維持するステップと、
前記粒状活性炭の細孔内の成熟微生物が成長するのに十分な期間だけ、前記粒状活性炭を前記曝気槽内に残留させるステップであって、前記成熟微生物は、前記粒状活性化合物によって吸着される前記生物学的に難溶性の物質および／またはバイオ抑制化合物の処理において有効である、ステップと、
前記曝気槽内のまたは前記曝気槽の下流のスクリーンまたは分離システムを通じて前記曝気槽からの混合液廃水を送って、実質的に粒状活性炭を含まない前記混合液廃水を膜動作システムタンクに導入するステップと、
を含むプロセス。
【請求項１５】
廃水ストリームを浄化するプロセスであって、
混合液を生成するために、種バクテリア培養物と共に曝気槽へ前記廃水ストリームを導入し、
前記曝気槽へ粒状活性炭を導入し、
前記粒状活性化化合物によって吸着される、前記生物学的に難溶性の、及び/又は、バイオ抑制化合物を処理するのに有効である、 前記粒状活性炭の細孔内の成熟微生物が成長するのに十分な期間だけ前記曝気槽内に前記粒状活性炭を残留させ、
実質的に粒状活性炭を含まない前記曝気槽から混合液廃水を膜動作システムタンクに通す、ことを含むプロセス。
【請求項１６】
前記曝気槽から排出された前記混合液をスクリーニングすることにより、前記曝気槽内に前記粒状活性炭を維持または保持する請求項１４または１５に記載のプロセス。
【請求項１７】
前記実質的に粒状活性炭を含まない前記曝気槽からの混合液廃水を通す工程は、
前記曝気槽から放出した前記混合液をスクリーニングすることを含む請求項１４または１５に記載のプロセス。
【請求項１８】
前記粒状活性炭の有効性が、所定のレベルに低下した場合には、前記曝気槽から前記粒状活性炭の一部を除去し、
前記曝気槽へより大きな有効性がある追加の粒状活性炭を導入すること、をさらに含む請求項１４または１５に記載のプロセス。
【請求項１９】
前記粒状活性炭の一部の除去工程は、粒状活性炭を含む混合液の廃棄を含む請求項１８に記載のプロセス。
【請求項２０】
前記粒状活性炭の有効性が順守要求レベルに近いレベルまで低下した場合に前記粒状活性炭の一部を前記曝気槽から廃棄するステップと、より高い吸着能を有するさらなる粒状活性炭を前記曝気槽内に導入するステップとをさらに含む請求項１４または１５に記載のプロセス。
【請求項２１】
前記粒状活性炭の一部の廃棄は、粒状活性炭を含む混合液の廃棄を含む請求項２０に記載のプロセス。
【請求項２２】
前記粒状活性炭は、水中で20℃において、約1.05〜約1.10の比重を有する請求項１４〜２１のいずれかに記載のプロセス。
【請求項２３】
前記粒状活性炭は顆粒間衝突に起因する微粒子および他の粒子状物の発生を最小化する硬度レベルを有する請求項１４〜２１のいずれかに記載のプロセス。
【請求項２４】
前記粒状活性炭は、木材、ココナツ、バガス、おがくず、泥炭、パルプ工場廃棄物、および他のセルロース由来の物質からなる群から選択された物質から由来する、請求項１４〜２１のいずれかに記載のプロセス。
【請求項２５】
膜生物反応槽によって処理される産業廃水ストリームを処理するプロセスであって、
膜生物反応槽の曝気槽内に含まれる混合液中で粒状活性炭を懸濁させるステップと、
スクリーンまたは分離システムを通じて前記混合液を送って、前記曝気槽内の前記粒状活性炭を保持した後、前記混合液と、前記曝気槽の下流の膜動作システムの膜とを接触させ、これにより、前記混合液は、前記膜を摩耗し得る粒状活性炭を実質的に含まない、ステップと、
を含むプロセス。
【請求項２６】
廃水ストリーム処理する方法であって、
膜生物反応槽の曝気槽に含まれる混合液中の粒状活性炭を懸濁させ、
分離された廃水を形成するために、前記曝気槽中の前記粒状活性炭を保持するために前記曝気槽にある分離システムを通して前記混合液を通し、
処理された廃水を形成するために膜動作システムタンクの入口に前記分離された廃水を導入し、
入口の廃水ストリーム及び前記処理された廃水の少なくとも1つの特性に応じて、前記曝気槽からの粒状活性炭を含む前記混合液の少なくとも一部を除去する、ことを含むプロセス。
【請求項２７】
前記曝気槽の上流、 前記曝気槽中、及び、返送活性スラッジストリームの中、を含む1以上の場所で追加の粒状活性炭を導入することをさらに含む請求項２６に記載のプロセス。